(57)【要約】【課題】  手提げ用取っ手を容易に、且つ、簡単堅固に取着できる生花用容器を提供する。【解決手段】  容器１と、一体化させる手提げ用取っ手２の凹部１１を、該容器の上縁部３に備えた挿通孔６へ挿入し、該挿通孔に備えた凸部と抜け止め８【選択図】図２
0003124745.tif 000002
【実用新案登録請求の範囲】
【請求項１】
合成樹脂製の容器（２）と、別体の手提げ用取っ手（３）とを固定せしめるために、前記容器（２）と一体に形成された差込片（８）を、手提げ用取っ手端部（５）に形成された抜け止め（９）に、該抜け止め（９）とは反対側で挿通孔（７）に差し込むことにより、前記挿通孔（７）が塞がって前記抜け止め（９）が前記容器（２）に抜け出し不能に係合せしめられる生花容器。
【考案の詳細な説明】
【考案の詳細な説明】
【技術分野】
【０００１】  本考案は、生花を活け込んだ容器を、容易に取り扱えるようにするために、手提げ用取っ手を別部材を用いず、容器に堅固に固定できる構成としたものである。
【背景技術】
【０００２】  従来、図５に示す生花用容器においては、容器の上顎部イに、手提げ用取っ手のＵ字状端部ロを挟持させている。
また、図６に示す菱型生花容器においては、容器の上縁部ハに設けた手提げ用取っ手挿入部ニへ、手提げ用取っ手の中間部に設けた係止部ホを挿入し、さらに別体の容器底部への両端に設けた嵌入部トへ、手提げ用取っ手の両端部に形成した係止部チを嵌入させることで、容器と手提げ用取っ手を一体化させている。
【考案が解決しようとする課題】
【０００３】  しかしながら、前記図５に示した生花用容器においては、容器の上縁部に挟持させる手提げ用取っ手が取扱中に外れやすく、片手を容器底部に添えることで容器の落下を防いでいる。
また、前記図６に示した菱形生花容器においては、容器にかかる重量を容器と別体の底部で受けるために、容器の底部に設けた手提げ用取っ手の嵌入部に割れを生じ、係止部が外れるという問題点を有していた。
【０００４】  本考案は、従来の技術の有するこのような問題点に鑑みてなされたものであり、その目的とするところは、容器と手提げ用取っ手を確実に一体化させ、容器の取扱中に手提げ用取っ手が容易に外れない生花用容器を提供するものである。
【問題を解決するための手段】
【０００５】  上記目的を達成するために、本考案における容器は、合成樹脂製容器の上縁部に、別体の手提げ用取っ手を挿入係合させるための挿通孔を備え、前記手提げ用取っ手の端部を前記挿通孔に挿入し、前記容器と前記手提げ用取っ手を一体化させるものである。
すなわち、前記容器と前記手提げ用取っ手を確実に一体化させるために、該容器の前記上縁部に備えた前記挿通孔には、前記手提げ用取っ手の端部に形成した凹部と勘合する凸部を備える。前記凹部と前記凸部を勘合せしめれば、該凸部の下辺に備えた抜け止めが、前記手提げ用取っ手の引っ張り方向に対して抜け止めの効を奏する。
【０００６】  さらに、前記容器と一体に形成された差込片を、該抜け止めとは反対側で前記挿通孔に差し込むことにより、該挿通孔が塞がって前記抜け止めが前記容器に抜け出し不能に係合せしめられ、簡単な構成にして、前記容器へ前記手提げ用取っ手を取り付け強度を保持し係合することができる利点を有する。
【０００７】  また、前記手提げ用取っ手は図２に示すように矩形であるが、矩形に拘らず楕円状であっても、該容器の前記手提げ用取っ手の前記挿入孔部及び前記抜け止め部、さらに前記差込片の形状を変えることにより容易に同様の効果を期待できる。
【考案を実施するための最良の形態】
【０００８】  考案の実施の形態について、添付図面を参照して説明する。
図１は、本考案の一形態に係わる生花容器の使用状態を示す斜視図、図２は容器と手提げ用取っ手の結合関係を示す分解斜視図、図３及び図４は、手提げ用取っ手の容器への取り付け方法を示す断面図である。図５及び図６は従来の生花容器に係わる要部断面図である。【０００９】  図１に示すように、本考案の一実施の一形態に係わる生花容器１は、該容器２の上縁部に別体の手提げ用取っ手３を挿入し一体化させる。生花容器１の用途は、限定されないが、葬儀用の供花用容器として用いられるのが一般的である。【００１０】  前記容器２の材質としては、プラスチックを採用するのが好ましい。その理由は、軽量であり、製造が容易であり、繰り返して使用しても壊れ難く、長期間使用しても変色や色落ち等の問題が生じ難いからである。また、前記手提げ用取っ手３を容器２に固定させるための、折り曲げ自在な差込片８を、前記容器２と一体で形成できるので好都合である。（図３，図４参照）【００１１】  次に、前記手提げ用取っ手３について説明する。該手提げ用取っ手３は、花を活けた状態でも前記容器２をバランス良く持ち運べるように、図１に示すように平面視で前記容器２の中央部を横切って配設されている。【００１２】  図１に示すように、前記手提げ用取っ手３は、倒立Ｕ字状のものであり、プラスチックを材料として、高い引っ張り強度を有するように形成されている。前記手提げ用取っ手３の両端部（下端部）は、前記容器２の前記上縁部４に取り付けられている。【００１３】  図２に示すように、前記容器２の前記上縁部４には、前記手提げ用取っ手３を挿入固定せしめるための挿通孔７が形成されている。該挿通孔７は、上から見て円形の輪郭の前記容器２の直径上に位置するように、前記上縁部４に形成されている。また、前記容器２には、前記挿通孔７に隣接する位置に、二箇所で折り曲げ自在な差込片８が一体に形成されている。一方、前記手提げ用取っ手３の端部５には、凹部１２を形成することによりフック状の抜け止め９が形成されている。該抜け止め９は、図３及び図４に示すように、前記凹部１２に勘合する凸部１０を前記挿通孔７内に形成することにより形成された段部１１又は角部に引っ掛かって、前記手提げ用取っ手３の抜け出しを防止する。【００１４】  図３は、前記上縁部４に形成された前記挿通孔７へ、前記手提げ用取っ手３の端部を挿入し、該挿通孔７に形成された凸部１０と、前記手提げ用取っ手の端部５に形成された凹部１２、とを嵌入させる相関関係を示している。すなわち、前記挿通孔７に形成される、前記凸部１０と前記手提げ用取っ手３の端部に形成された凹部１２とを嵌合せしめると、該凸部１０の下辺に備えた段部１１と、前記手提げ用取っ手の端部５に形成された前記抜け止め９とがかみ合い、前記手提げ用取っ手３の引っ張り方向に対して抜け止め効果を奏する。【００１５】  さらに、図４に示すように、前記抜け止め９を前記挿通孔７内の段部１１又は前記挿通孔７の角部に係合させた状態で、前記差込片８を前記抜け止め９とは反対側で前記挿通孔７に差し込む。その結果、前記差込片８によって前記挿通孔７が塞がって、前記凹部１２内に前記凸部１０が嵌合し、前記抜け止め９が前記段部１１又は角部に抜け出し不能に係���せしめられる。また、前記差込片８を前記挿通孔７から引き出せば、前記凹部１２と前記凸部１０との嵌合を解除し得るだけの余裕が前記挿通孔７内にできて、前記抜け止め９と前記段部１１との係合を解除することができるので、前記手提げ用取っ手３の端部５を前記挿通孔７から抜き取ることができる。【００１６】  なお、一本の前記手提げ用取っ手３だけでは前記容器２を持ち運ぶ際の強度が不十分であれば、例えば、前記容器２の前部と前記手提げ用取っ手３の長さ方向の中央部とを連結する帯状の補強取っ手（図示せず）を設ける等、適宜の補強手段を講ずることもできる。前記補強取っ手と前記容器との連結部６の構造も、前記に準じたものとすれば良い。【００１７】  また、前記連結部６の構造は、生花用容器に対するものに限定されず、容器一般とその手提げ用取っ手との連結部について適用することができ、さらに、前記手提げ用取っ手３を例とする第一の部材と、前記容器２を例とする第二の部材との連結部の構造として一般化できることは、勿論である。
【考案の効果】
【００１８】  本考案は、上述のとおり構成されているので、以下の記載する効果を奏する。
手提げ用取っ手を、簡単な構成にして容器に取り付けることができ、容器との取り付け強度も高く、さらに、必要な場合には簡単に取り外すことができる。
【００１９】  手提げ用取っ手と容器との係合を、プラスチック製容器と一体に形成した差込片を利用することにより、係合のための別部材を不要とし、持ち運びを要する生花用容器を軽量化することができる。
【００２０】  容器を使用するうえで、手提げ用取っ手を必要としない場合は、容器と一体に形成した差し込み片を、容器の上縁部に形成した挿入口に折り曲げて挿入しておくか、場合によっては、差込片を切除しても良く、容器としての利用度が高い。
【図面の簡単な説明】
【００２１】
【図１】本考案の一形態に係わる生花容器の使用状態を示す斜視図である。
【図２】容器と手提げ用取っ手の結合関係を示す分解斜視図である。
【図３】手提げ用取っ手の容器への取り付け方法を示す断面図である。
【図４】手提げ用取っ手の容器への取り付け方法を示す断面図である。
【図５】従来の生花容器に係わる要部断面図である。
【図６】従来の生花容器に係わる要部断面図である。
【符号の説明】
【００２２】２    容器
３    手提げ用取っ手
４    上縁部
５    手提げ用取っ手の端部
６    連結部
７    挿通孔
８    差込片
９    抜け止め
１０  凸部
１１  段部
１２  凹部
【図１】
0003124745.tif 000003
【図２】
0003124745.tif 000004
【図３】
0003124745.tif 000005
【図４】
0003124745.tif 000006
【図５】
0003124745.tif 000007
【図６】
0003124745.tif 000008